(57)【特許請求の範囲】
【請求項１】
フード体１内の空気をフィルター２１の通気部６３を通して送風機６で吸引して外部に排出するレンジフードにおいて、
前記フィルター２１は、板６１に複数の通気部６３を上下方向に間隔を置いて複数形成したものとし、
前記フィルター２１を垂直姿勢に対して斜めの姿勢とし、このフィルター２１よりも上方位置に、注水ノズル３１を有する洗浄液樋３０を設け、この洗浄液樋３０とフィルター２１の板６１における最上部の通気部６３よりも上方寄りの裏面とに亘って水平に対して斜めとなったガイド部を有した洗浄液ガイド３４を、そのガイド部が前後方向に向かうように設け、
前記洗浄液樋３０の前記注水ノズル３１を、前記洗浄液ガイド３４のガイド部と対向したことを特徴とするレンジフードのフィルター洗浄液供給装置。
【請求項２】
前記洗浄液ガイド３４の洗浄液が流れる部分に、洗浄液の流れガイド部６７を幅方向に間隔を置いて複数設けた請求項１記載のレンジフードのフィルター洗浄液供給装置。
【発明の詳細な説明】
【０００１】
【発明の属する技術分野】
本発明は、レンジフードのフィルターに洗浄液を落下供給してフィルターに付着した油分などを洗浄する装置に関する。
【０００２】
【従来の技術】
従来一般に知られているレンジフードは、フード体の内部にフィルターを取付け、そのフード体内部にフィルターを境として吸込部と排出部を形成し、その排出部に送風機を取付けたものである。
【０００３】
このレンジフードであれば、送風機を駆動することで空気を吸込部より吸込み、その吸込んだ空気をフィルターを通して排出部に吸込み、排気ダクトなどを通して外部に排出することができる。
また、吸込んだ空気中の油分や水蒸気をフィルターで捕集でき、排出ダクトを流れる空気中の油分や水蒸気の量が著しく減少するので、排出ダクト内で油分や水蒸気が結露して排出ダクトより流れ出ることがない。
【０００４】
前述のレンジフードであると、フィルターに油分などが付着し、長期間使用すると付着した油分がフィルターから滴下し、レンジフードの下部、例えばレンジを汚したり、調理中の鍋の中に落下してしまう。このことを防止するにはフィルターを定期的に清掃すれば良い。
【０００５】
しかしフィルターはフード体の内部に取付けてあるし、フード体はレンジの上方位置に取付けてあるので、清掃を忘れがちであり、また気づいた時には長期間を経過している場合がほとんどであり、フィルターに汚れが固着しており、フィルターを清掃することが大変面倒である。
【０００６】
そこで、本出願人は先に、フード体内を、縦向きのフィルターによって吸込部と排出部に区画し、前記フィルターの上部に洗浄液を落下供給する洗浄液樋と、前記フィルターに沿って流れ落ちた洗浄液を受ける洗浄液受皿と、洗浄液槽と、前記洗浄液槽内の洗浄液を前記洗浄液樋に供給する液体ポンプを設け、この液体ポンプを駆動することで、フィルターに沿って洗浄液を流すことによりフィルターに付着した油分等を洗浄するフィルター清掃装置を備えたレンジフードを提案した。
【０００７】
【発明が解決しようとする課題】
前述のように洗浄液樋内の洗浄液をフィルターに落下供給するには、例えば図１１に示すように洗浄液樋１００の注水ノズル１０１からフィルター１０２に洗浄液１０３を落下供給することが考えられる。
フィルター１０２はスリット状の通気部１０４を上下方向に間隔を置いて複数有するもので、その通気部１０４に油分等が付着する。
【０００８】
このようであるから、フィルター１０２の最上部の通気部１０４よりも上方寄りに洗浄液を供給する必要があり、洗浄液樋１００の注水ノズル１０１の真下にフィルター１０２の上部が位置するように前後方向に正確に位置決めしてフィルター１０２を取付けるので、その作業が面倒であるし、設計上の制約があった。
【０００９】
例えば、図１２に示すようにフィルター１０２の上部が注水ノズル１０１よりも前方（吸込部１０５寄り）に位置がずれると、洗浄液１０３が最上部の通気部１０４に落下供給されずにその部分を洗浄できない。
図１３に示すようにフィルター１０２の上部が後方（排出部１０６寄り）に位置がずれると洗浄液１０３が前方にこぼれてしまう。
【００１０】
そこで、本発明は前述の課題を解決できるようにしたレンジフードのフィルター洗浄液供給装置を提供することを目的とする。
【００１１】
【課題を解決するための手段】
第１の発明は、フード体１内の空気をフィルター２１の通気部６３を通して送風機６で吸引して外部に排出するレンジフードにおいて、
前記フィルター２１は、板６１に複数の通気部６３を上下方向に間隔を置いて複数形成したものとし、
前記フィルター２１を垂直姿勢に対して斜めの姿勢とし、このフィルター２１よりも上方位置に、注水ノズル３１を有する洗浄液樋３０を設け、この洗浄液樋３０とフィルター２１の板６１における最上部の通気部６３よりも上方寄りの裏面とに亘って水平に対して斜めとなったガイド部を有した洗浄液ガイド３４を、そのガイド部が前後方向に向かうように設け、
前記洗浄液樋３０の前記注水ノズル３１を、前記洗浄液ガイド３４のガイド部と対向したことを特徴とするレンジフードのフィルター洗浄液供給装置である。
【００１２】
第２の発明は、第１の発明における前記洗浄液ガイド３４の洗浄液が流れる部分に、洗浄液の流れガイド部６７を幅方向に間隔を置いて複数設けたレンジフードのフィルター洗浄液供給装置である。
【００１３】
【作用】
第１の発明によれば、洗浄液樋３０内の洗浄液は注水ノズル３１から洗浄液ガイド３４における水平に対して斜めで前後方向に向かうガイド部に落下し、その洗浄液ガイド３４のガイド部に沿って流れてフィルター２１の板６１における最上部の通気部６３よりも上方寄りの裏面に供給される。
【００１４】
このようであるから、注水ノズル３１とフィルター２１の上部が前後方向に位置ずれしていても洗浄液は注水ノズル３１からフィルター２１の板６１における最上部の通気部６３よりも上方寄りの裏面に落下供給される。
したがって、洗浄液樋３０とフィルター２１を前後方向に正確に位置決めしなくとも良いから、それらの取付け作業が容易となるし、設計の自由度が増加する。
【００１５】
また、洗浄液樋３０の注水ノズル３１から落下した洗浄液のいきおいは洗浄液ガイド３４のガイド部に落下することで低減され、その洗浄液ガイド３４のガイド部に沿ってゆっくりと流れてフィルター２１の板６１の裏面に供給されるので、フィルター２１の板６１の通気部６３を通り抜けて板６１の表面側に飛散することがない。
【００１６】
第２の発明によれば、洗浄液ガイド３４に沿って流れる洗浄液が流れガイド部６７で整流されるから、フィルター２１にまっすぐに流れとして供給され、フィルター２１の幅方向に亘って洗浄液が均一に流下するので効率良く洗浄できる。
【００１７】
【発明の実施の形態】
図１と図２に示すように、フード体１は天板２と後面板３と前面板４と左右側面板５で下面を開口した箱状となっている。
前記天板２の後面板３寄りに送風機６が着脱可能に取付けてある。この送風機６の前面にフィルターユニット７が着脱自在に取付けてある。前記送風機６、フィルターユニット７よりも下方位置に水受け板８がほぼ水平に着脱自在に取付けてある。
【００１８】
前記送風機６は送風機ケース１０内にファン１１、例えばシロッコファンを回転自在に設け、その送風機ケース１０の後面１０ａに電動モータ１２を取付けてある。送風機ケース１０の前面１０ｂに吸込口１３が形成され、吐出口１４は上部に開口している。
【００１９】
前記フィルターユニット７はハウジング２０にフィルター２１を取付けてある。前記ハウジング２０は前面板２２と後面板２３と左右の側面板２４と下面板２５と上面板２６を備え、前面板２２にフィルター取付用開口部２７が形成され、後面板２３には大径孔２８が形成され、かつその大径孔２８の周縁と連続してベルマウスと呼ばれる筒状の導風板２９が一体的に設けてある。
【００２０】
前記ハウジング２０の上部寄りには洗浄液樋３０が取付けてある。その底板３０ａは階段形状に折り曲げられ、その前部寄りに注水ノズル３１が左右方向（幅方向）に間隔を置いて複数形成してある。
【００２１】
前記ハウジング２０の下部寄り、つまり下面板２５と前面板２２下部と後面板２３下部と側面板２４下部で洗浄液受皿３２を形成し、その洗浄液受皿３２を形成する下面板２５にはパイプ３３が接続してある。
【００２２】
フィルター２１はハウジング２０内にフィルター取付用開口部２７を閉塞するように取付けてあり、前記洗浄液樋３０内の洗浄液は注水ノズル３１から洗浄液ガイド３４を経てフィルター２１に沿って流れ落ちて洗浄液受皿３２に溜まる。
【００２３】
前記ハウジング２０の後面板２３が送風機ケース１０の前面１０ｂに固着され、その導風板２９が吸込口１３内に突出している。これによって、フィルターユニット７が送風機６に着脱自在に取付けられる。
【００２４】
前記送風機ケース１０には液体ポンプ４０のモータ４１が取付けてある。このモータ４１には図３に示すように筒４２を介してケーシング４３が固着され、このケーシング４３にはインペラ４４が設けてあり、そのインペラ４４は筒４２内に設けた軸４５でモータ４１の回転部に連結してある。
【００２５】
前記ケーシング４３には洗浄液吸込口４６と洗浄液吐出口４７が形成され、その洗浄液吐出口４７に洗浄液供給パイプ４８が接続してある。この洗浄液供給パイプ４８は送風機ケース１０に沿って上方に配設され、洗浄液樋３０内に突出している。
【００２６】
前記水受け板８はフィルターユニット７の平面大きさより大きく、フード体１の平面大きさよりも小さく、フード体１の内面と水受け板８との間に空気吸込み用隙間４９を形成し、水受け板８は整流板を兼用している。
【００２７】
これによって、送風機６を駆動することで空気吸込み用隙間４９を通って空気を吸込みするので、その空気吸込み用隙間４９を通る時の流速が速く、煙・油分等の捕集効率が向上する。
【００２８】
前記水受け板８は後部寄り部分８ａがほぼ水平で、前部寄り部分８ｂが斜め上向きに傾斜している。前記後部寄り部分８ａに開口部５０が形成され、その開口部５０の周縁部に洗浄液タンク５１が着脱自在に取付けてある。これによって前記フィルター２１に沿って洗浄液が流れ落ちる際に細かい水滴となって飛散した洗浄液は水受け板８上に落下し、水受け板８に沿って流れて開口部５０から洗浄液タンク５１内に落下するので、前述の水滴となって飛散した洗浄液がレンジフードから落下することがない。
【００２９】
前記フィルターユニット７の洗浄液受皿３２に接続したパイプ３３及び液体ポンプ４０のケーシング４３は水受け板８の開口部５０から洗浄液タンク５１内に突出している。これによって、フィルター２１に沿って流れ落ちた洗浄液が洗浄液タンク５４内に回収され、再び液体ポンプ４０で吸い込みされて洗浄液樋３０に供給されるので、洗浄液を循環してフィルター２１を清掃できる。
【００３０】
前記水受け板８は左右のブラケット５２で左右の側面板５に連結されていると共に、ブラケット５３とフック５４で後面板３に連結してある。
【００３１】
次にフィルターユニット７の詳細を図４ないし図７を参照して説明する。
前面板２２のフィルター取付用開口部２７の左右縦縁部に鉤形の受け片６０が設けてある。
前記フィルター２１は板６１の幅方向両端縁を折り曲げて補強縦片６２とし、その板６１をスリット状に打ち出し加工して複数の通気部６３を上下方向に間隔を置いて複数有する。
フィルター２１の補強縦片６２が受け片６０に接して支持され、フィルター２１は垂直姿勢に対して斜めの姿勢として取付けてある。
【００３２】
前記洗浄液ガイド３４は図７に示すように、一枚の板を折り曲げて上部取付部６４、中間ガイド部６５、下部ガイド部６６を有する形状で、前記フィルター２１の幅方向全長と略同一幅である。上部取付部６４が洗浄液樋３０の前面３０ｂに固着され、中間ガイド部６５が注水ノズル３１と対向し、下部ガイド部６６がフィルター２１の板６１の上縁部裏面、つまり、最上部の通気部６３より上方部分に接している。
【００３３】
このようであるから、図８に示すように洗浄液樋３０内の洗浄液は注水ノズル３１から中間ガイド部６５に落下し、その中間ガイド部６５、下部ガイド部６６に沿ってフィルター２１の板６１の裏面に流れ落ちるので、注水ノズル３１とフィルター２１の上部が前後方向に位置ずれしても洗浄液がフィルター２１の最上部の通気部６３よりも上方の裏面に落下供給される。
【００３４】
また、水平に対して斜めとなった中間ガイド部６５に洗浄液が落下するので、洗浄液の落下のいきおいが低減されるし、その中間ガイド部６５、下部ガイド部６６に沿って流れてフィルター２１の上部に供給されるので、フィルター２１の上部に洗浄液がゆっくりと流れ落ち、通気部６３を通り抜けて表面側に飛散することがない。
【００３５】
前記洗浄液ガイド３４の上部取付部６４を図９に示すように、洗浄液樋３０の下面３０ａにおける注水ノズル３１よりも後側に取付け、下部ガイド部６６をフィルター２１の板６１の裏面と隙間を置いて対向させても良い。
【００３６】
このようにすれば、フィルター２１の上部が注水ノズル３１よりも前方に位置ずれしても洗浄液をフィルター２１の最上部の通気部６３よりも上方寄りの裏面に落下供給することができる。
【００３７】
図１０に示すように、洗浄液ガイド３４の中間ガイド部６５、下部ガイド部６６に凸部又は凹部の流れガイド部６７を幅方向に間隔を置いて複数設けても良く、これによって洗浄液は整流されてフィルター２１にまっすぐに流れ落ち、フィルター２１に幅方向に亘って均一な流れとなって流下する。
【００３８】
また、洗浄液ガイド３４の左右縦縁部にフランジ６８を設けても良く、このようにすれば洗浄液が洗浄液ガイド３４の左右方向端部からこぼれ落ちることが防止される。
【００３９】
また、洗浄液ガイド３４はフィルター２１の上部寄りに取付けても良い。また、フィルター２１、洗浄液樋３０をフード体１にそれぞれ取付けても良い。
【００４０】
【発明の効果】
請求項１に係る発明によれば、洗浄液樋３０内の洗浄液は注水ノズル３１から洗浄液ガイド３４における水平に対して斜めで前後方向に向かうガイド部に落下し、その洗浄液ガイド３４のガイド部に沿って流れてフィルター２１の板６１における最上部の通気部６３よりも上方寄りの裏面に供給される。
【００４１】
このようであるから、注水ノズル３１とフィルター２１の上部が前後方向に位置ずれしていても洗浄液は注水ノズル３１からフィルター２１の板６１における最上部の通気部６３よりも上方寄りの裏面に落下供給される。
したがって、洗浄液樋３０とフィルター２１を前後方向に正確に位置決めしなくとも良いから、それらの取付け作業が容易となるし、設計の自由度が増加する。
【００４２】
また、洗浄液樋３０の注水ノズル３１から落下した洗浄液のいきおいは洗浄液ガイド３４のガイド部に落下することで低減され、その洗浄液ガイド３４のガイド部に沿ってゆっくりと流れてフィルター２１の板６１の裏面に供給されるので、フィルター２１の板６１の通気部６３を通り抜けて板６１の表面側に飛散することがないし、設計の自由度が増加する。
【００４３】
請求項２に係る発明によれば、洗浄液ガイド３４に沿って流れる洗浄液が流れガイド部６７で整流されるから、フィルター２１にまっすぐに流れとして供給され、フィルター２１の幅方向に亘って洗浄液が均一に流下するので効率良く洗浄できる。
【図面の簡単な説明】
【図１】本発明の実施の形態を示すレンジフードの縦断面図である。
【図２】図１のＡ−Ａ断面図である。
【図３】液体ポンプの斜視図である。
【図４】フィルターユニットの前面から見た斜視図である。
【図５】フィルターユニットの後面から見た斜視図である。
【図６】図４のフィルターユニットを外した状態の斜視図である。
【図７】図５の一部破断斜視図である。
【図８】洗浄液の流れ説明図である。
【図９】洗浄液ガイドの他の取付け例を示す断面図である。
【図１０】洗浄液ガイドの他の例を示す斜視図である。
【図１１】従来例の断面図である。
【図１２】従来例の不具合説明図である。
【図１３】従来例の不具合説明図である。
【符号の説明】
１…フード体、６…送風機、２０…フィルターユニット、２１…フィルター、３０…洗浄液樋、３１…注水ノズル、３４…洗浄液ガイド、６１…板、６３…通気部、６４…上部取付部、６５…中間ガイド部、６６…下部ガイド部、６７…流れガイド部、１００…洗浄液樋、１０１…注水ノズル、１０２…フィルター、１０４…通気部。
【図１】
0003924704.tif 000002
【図２】
0003924704.tif 000003
【図３】
0003924704.tif 000004
【図４】
0003924704.tif 000005
【図５】
0003924704.tif 000006
【図６】
0003924704.tif 000007
【図７】
0003924704.tif 000008
【図８】
0003924704.tif 000009
【図９】
0003924704.tif 000010
【図１０】
0003924704.tif 000011
【図１１】
0003924704.tif 000012
【図１２】
0003924704.tif 000013
【図１３】
0003924704.tif 000014